(57)【要約】【課題】１つの端子に２本のワイヤハーネスを固定でき、しかも強固な固定を図れる。【解決手段】金属薄板から形成される本体部１の一端側に接続部２を形成し、本体部１の表裏にワイヤハーネスを取り付けるための第１及び第２の取付部３，４を設けた圧着端子において、前記本体部１の両側に左右一対の導体圧着部を２つ並べて第１導体圧着部３Ａと第２導体圧着部４Ａに形成し、これらに続いて左右一対の被覆圧着部を２つ並べて第１被覆圧着部３Ｂと第２被覆圧着部４Ｂに形成し、第１導体圧着部３Ａと第１被覆圧着部３Ｂを本体部１の表側に折り曲げて第１の取付部３を構成し、第２導体圧着部４Ａと第２被覆圧着部４Ｂを本体部１の裏側に折り曲げて第２の取付部４を構成した。【選択図】図１
2008060040.tif 000002
【特許請求の範囲】
【請求項１】
金属薄板から形成される本体部の一端側に接続部を形成し、本体部の表裏にワイヤハーネスを取り付けるための第１及び第２の取付部を設けた圧着端子において、
前記本体部の両側に左右一対の導体圧着部を２つ並べて第１導体圧着部と第２導体圧着部に形成し、
これらに続いて左右一対の被覆圧着部を２つ並べて第１被覆圧着部と第２被覆圧着部に形成し、
第１導体圧着部と第１被覆圧着部を本体部の表側に折り曲げて第１の取付部を構成し、
第２導体圧着部と第２被覆圧着部を本体部の裏側に折り曲げて第２の取付部を構成したことを特徴とする圧着端子。
【請求項２】
第１及び第２の導体圧着部を形成するプレートの幅が、第１及び第２の被覆圧着部を形成するプレートの幅よりも広いことを特徴とする請求項１に記載の圧着端子。
【発明の詳細な説明】
【技術分野】
【０００１】
本発明は、電気機器の端子にワイヤハーネスを接続するために使用する圧着端子である。
【背景技術】
【０００２】
従来は、電気機器の端子台の接続位置（端子）にワイヤハーネスに圧着された圧着端子の円板状接続部をねじ止めし、１つの接続位置に複数の圧着端子を接続し、複数のワイヤハーネスを接続していた。圧着端子の接続部は、中央にねじを通すための孔があけられていて、これらの孔を合わせてねじ止めされる。また、従来の圧着端子では接続部と圧着部が一対になっているために、電気機器の１つの接続位置に２本以上のワイヤハーネスを接続する場合には、それぞれのワイヤハーネスの端部に圧着端子と必要があればそのワイヤハーネスを特定する例えば線番号入りのマーカー等を付けるために配線工数が増加する問題がある。
【０００３】
また、２個の圧着端子を電気機器の１つの接続位置に接続する場合は圧着端子の圧着部が重なり合わないようにずらせて配置するか、圧着部を背中合わせにして接続するために、ずらせて配置する場合はそのための空間が余分に必要となり、背中合わせに接続する場合はワイヤハーネスを捩じるか予め背中合わせになるように圧着端子を圧着する問題がある。電気機器の多くはそれが末端の機器である場合を除いて１つの接続位置に２本以上のワイヤハーネスが接続される場合が多い。
【０００４】
そこで、２本以上のワイヤハーネスを１つの接続位置に接続する場合に余分な空間を必要としない、またワイヤハーネスを捩じる必要のない圧着端子が開発された。これは、電気機器の端子に締め付け接続される接続部とワイヤハーネスを圧着して固定する圧着部を備えた圧着端子において、圧着部を少なくとも２ヶ所以上設けたものである（特許文献１参照）。この従来例では、ほぼ円筒形に成形された中空部分にほぼ一定長さに渡って絶縁部分を取り除かれたワイヤハーネスの導体部分を挿入し、圧縮工具で圧着固定される圧着部は、圧縮変形される部位が相互に背中合わせになるようにして、２個直列に配置されているので、それに繋がる接続部を電気機器の端子に接続する場合に余分な空間が不要であり、また、ワイヤハーネスの捩じりも不要にしている。
【特許文献１】特開平７−３２６４１２号公報（第２頁、図１）
【発明の開示】
【発明が解決しようとする課題】
【０００５】
特許文献１に記載の従来例では、電線（ワイヤハーネス）の被覆部を剥いた導体のみを圧着部で圧着するものであり、圧着端子と電線との取り付けが十分に強固なものとはいえず、電線を引っ張ったときに圧着端子との取り付けがゆるむか外れるおそれがあった。
【０００６】
そこで、本発明は、１つの圧着端子に２本以上のワイヤハーネスを取り付けることができ、しかも取付状態を強固なものにすることができる圧着端子を提供することを目的とする。
【課題を解決するための手段】
【０００７】
上述の目的を達成するため、本発明は、金属薄板から形成される本体部の一端側に接続部を形成し、本体部の表裏にワイヤハーネスを取り付けるための第１及び第２の取付部を設けた圧着端子において、前記本体部の両側に左右一対の導体圧着部を２つ並べて第１導体圧着部と第２導体圧着部に形成し、これらに続いて左右一対の被覆圧着部を２つ並べて第１被覆圧着部と第２被覆圧着部に形成し、第１導体圧着部と第１被覆圧着部を本体部の表側に折り曲げて第１の取付部を構成し、第２導体圧着部と第２被覆圧着部を本体部の裏側に折り曲げて第２の取付部を構成したものである。
【発明の効果】
【０００８】
本発明は、金属薄板から形成される本体部の一端側に接続部を形成し、本体部の表裏にワイヤハーネスを取り付けるための第１及び第２の取付部を設けた圧着端子において、前記本体部の両側に左右一対の導体圧着部を２つ並べて第１導体圧着部と第２導体圧着部に形成し、これらに続いて左右一対の被覆圧着部を２つ並べて第１被覆圧着部と第２被覆圧着部に形成し、第１導体圧着部と第１被覆圧着部を本体部の表側に折り曲げて第１の取付部を構成し、第２導体圧着部と第２被覆圧着部を本体部の裏側に折り曲げて第２の取付部を構成したので、本体部の表裏に２本のワイヤハーネスを取り付けることができ、しかもワイヤハーネスは被覆部と導体とが同時に圧着されるので、強固に圧着固定される。また、本体部の両側に４片のプレートを打ち抜き形成し、その後これらのプレートをそれぞれ表側に折り曲げて２本のワイヤハーネスに圧着することができ、製造コストも安価なものとなる。
【発明を実施するための最良の形態】
【０００９】
以下に、本発明の好適な実施形態について、図面を参照にして説明する。
【００１０】
図１は、圧着部分を折り曲げる前の圧着端子の平面図を示し、金属薄板を打ち抜き、折曲加工して製作されたものである。この圧着端子の本体部１の一端側に他の端子と接続するための接続部２を形成し、本体部１の両側には、接続部２に近い側に左右一対２組の４片のプレートａ〜ｄを延出形成し、これら４片のプレートに続いて左右一対２組の４片のプレートｅ〜ｈを延出形成してある。プレートａ，ｂは第１導体圧着部３Ａを形成し、プレートｅ，ｆは第１被覆圧着部３Ｂを形成し、これらが第１の取付部３を形成している。また、プレートｃ，ｄは第２導体圧着部４Ａを形成し、プレートｇ，ｈは第２被覆圧着部４Ｂを形成し、これらが第２の取付部４を構成している。第１の取付部３には、後述するワイヤハーネスＷ１が取り付けられ、第２の取付部４にはワイヤハーネスＷ２が取り付けられる。
【００１１】
前記接続部２には、折り曲げられた弾性片部２Ａが形成され、この弾性片部２Ａに他の端子が接続される。この例では、板状の電気接触部が弾性片部の下に挿入されるが、従来と同様に中央に孔のあいた円板状の接続部であってもよい。
【００１２】
図２は、プレートａ，ｂ及びｅ，ｆを本体部１の表側へ折り曲げ、これらの間にワイヤハーネスＷ１を挟み、その後プレートａ，ｂ及びｅ，ｆをかしめてワイヤハーネスＷ１の被覆部と導体とを同時に強固に圧着固定する。また、プレートｃ，ｄ及びｇ，ｈは、本体部１の裏側へ折り曲げ、これらの間にワイヤハーネスＷ２を挟み、その後プレートｃ，ｄ及びｇ，ｈをかしめてワイヤハーネスＷ２の被覆部Ｘと導体Ｙとを同時に強固に圧着固定する。
【００１３】
図３は、２本のワイヤハーネスＷ１，Ｗ２が１つの圧着端子に取り付けられた状態を示し、接続部２を他の端子に接続する。電気機器の端子台の１つの接続位置（端子）に２本以上のワイヤハーネスを接続する場合、余分な空間やワイヤハーネスの捩じりが不要となり、ワイヤハーネス間あるいは圧着部とワイヤハーネスの重なりによる接続位置での締め付け不良も防止できるのみならず、ワイヤハーネスを引っ張っても圧着端子との固定がゆるんだり、外れたりすることもなくなる。
【図面の簡単な説明】
【００１４】
【図１】平面図。
【図２】ワイヤハーネスを取り付ける直前の側面図。
【図３】ワイヤハーネス取付時の側面図。
【符号の説明】
【００１５】
１    本体部
２    接続部
３    第１の取付部
３Ａ  第１導体圧着部
３Ｂ  第１被覆圧着部
４    第２の取付部
４Ａ  第２導体圧着部
４Ｂ  第２被覆圧着部
Ｗ１，Ｗ２  ワイヤハーネス
ａ〜ｈ    プレート
【図１】
2008060040.tif 000003
【図２】
2008060040.tif 000004
【図３】
2008060040.tif 000005